【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
式−［Ａ］−［Ｂ］−
｛ここで、Ａは９モル％超〜約２０モル％存在し、ＸＳｉＲ3：
（ここで、各Ｒは同一であっても異なっていてもよく、置換又は非置換アリール又はヘテロアリール基であり、
Ｘはアクリルオキシ又はメタクリルオキシ基の残基である）
から成り、
ＢはＡと共重合可能な１種以上のエチレン性不飽和モノマーの残基を表わす｝
のコポリマーを含む、船舶用防汚塗料中のバインダーとして用いるのに適した海水中での侵食速度を有するポリマー。
【請求項２】
Ｒの少なくとも１個が非置換アリール、１個以上の塩素、フッ素、臭素、ヨウ素、アルキル、ペルフルオルアルキル、ナフチル、フルオレニル、アントラセニル、フェナントレニル、ピレニル、アルキルエーテル、置換アルキルエーテル、アリールエーテル、置換アリールエーテル若しくはアミノ置換基で置換されたアリール基又はそれらの混合物であり、海水中での侵食速度が２〜１５μ／月であることを特徴とする、請求項１に記載の海水侵食性コポリマー。
【請求項３】
Ａがトリフェニルシリルアクリレート又はトリフェニルシリルメタクリレートであり、海水中での侵食速度が２〜１５μ／月であることを特徴とする、請求項１に記載の水侵食性コポリマー。
【請求項４】
Ｒの少なくとも１個が硫黄−、窒素−又は酸素含有ヘテロアリール基である、請求項１又は２に記載の水侵食性コポリマー。
【請求項５】
Ｂが不飽和有機酸、アクリル酸のエステル、メタクリル酸のエステル、ビニル化合物、マレイン酸エステル及びフマル酸エステルより成る群から選択される、請求項１、２、３又は４に記載の水侵食性コポリマー。
【請求項６】
Ｂが不飽和有機酸、アクリル酸メチル、アクリル酸エチル、アクリル酸プロピル、アクリル酸ｎ−ブチル、アクリル酸ｔ−ブチル、アクリル酸ｓｅｃ−ブチル、アクリル酸２−エチルヘキシル、アクリル酸シクロヘキシル、アクリル酸フェニル、アクリル酸ｎ−オクチル、アクリル酸２−ヒドロキシエチル、アクリル酸ヒドロキシ−ｎ−プロピル、アクリル酸ヒドロキシ−ｉ−プロピル、アクリル酸グリシジル、アクリル酸２−メトキシエチル、アクリル酸２−メトキシプロピル、メトキシトリエチレングリコールアクリレート、アクリル酸２−エトキシエチル、エトキシジエチレングリコールアクリレート、メタクリル酸メチル、メタクリル酸エチル、メタクリル酸プロピル、メタクリル酸ｎ−ブチル、メタクリル酸ｔ−ブチル、メタクリル酸ｓｅｃ−ブチル、メタクリル酸２−エチルヘキシル、メタクリル酸シクロヘキシル、メタクリル酸２−ヒドロキシエチル、メタクリル酸グリシジル、メタクリル酸２−メトキシエチル、メタクリル酸２−メトキシプロピル、メトキシトリエチレングリコールメタクリレート、メタクリル酸２−エトキシエチル、（メタ）アクリル酸ヒドロキシ−ｎ−プロピル、メタクリル酸ヒドロキシ−ｉ−プロピル、メタクリル酸フェノキシエチル、メタクリル酸ブトキシエチル、（メタ）アクリル酸イソボルニル、ネオペンチルグリコールメチルエーテルプロポキシレートアクリレート、ポリ（プロピレングリコール）メチルエーテルアクリレート、エトキシジエチレングリコールメタクリレート、アクリル酸、メタクリル酸、アクリル酸２−ブトキシエチル、クロトン酸、ジ（エチレングリコール）２−エチルヘキシルエーテルアクリレート、ジ（エチレングリコール）メチルエーテルメタクリレート、３，３−ジメチルアクリル酸、アクリル酸２−（ジメチルアミノ）エチル、メタクリル酸２−（ジメチルアミノ）エチル、エチレングリコールフェニルエーテルアクリレート、エチレングリコールフェニルエーテルメタクリレート、２（５Ｈ）−フラノン、メタクリル酸ヒドロキシブチル、メチル−２（５Ｈ）−フラノン、ｔｒａｎｓ−３−メトキシアクリル酸メチル、メタクリル酸２−（ｔ−ブチルアミノ）エチル、アクリル酸テトラヒドロフルフリル、メタクリル酸３−トリス−（トリメチルシロキシ）シリルプロピル、チグリン酸、ｔｒａｎｓ−２−ヘキセン酸、酢酸ビニル、プロピオン酸ビニル、酪酸ビニル、安息香酸ビニル、マレイン酸ジメチル、マレイン酸ジエチル、マレイン酸ジ−ｎ−プロピル、マレイン酸ジイソプロピル、マレイン酸ジ−２−メトキシエチル、フマル酸ジメチル、フマル酸ジエチル、フマル酸ジ−ｎ−プロピル、フマル酸ジイソプロピル、スチレン、ビニルトルエン、α−メチルスチレン、Ｎ，Ｎ−ジメチルアクリルアミド、Ｎ−ｔ−ブチルアクリルアミド、Ｎ−ビニルピロリドン及びアクリロニトリルから選択される、請求項５に記載の水侵食性コポリマー。
【請求項７】
重合触媒又は開始剤の存在下における請求項１又は２に記載のモノマーＡと請求項１に記載の基Ｂの１種以上のエチレン性不飽和モノマーとの反応生成物から成るポリマーであって、該ポリマー中のモノマーＡの残基がコポリマーの９モル％超〜約２０モル％であることを特徴とする、前記ポリマー。
【請求項８】
モノマーＡについてのＲが非置換アリール、フェニル、１個以上の塩素、フッ素、臭素、ヨウ素、アルキル、ペルフルオルアルキル、ナフチル、フルオレニル、アントラセニル、フェナントレニル、ピレニル、アルキルエーテル、置換アルキルエーテル、アリールエーテル、置換アリールエーテル若しくはアミノ置換基で置換されたアリール又はそれらの混合物から選択され、２〜１５μ／月の侵食速度を有することを特徴とする、請求項７に記載のポリマー。
【請求項９】
モノマーＡがトリフェニルシリルアクリレート又はトリフェニルシリルメタクリレートである、請求項７又は８に記載のポリマー。
【請求項１０】
（ａ）トリアリールシリル（メタ）アクリレートの残基９モル％超〜約２０モル％；
（ｂ）Ａと共重合可能な１種以上のエチレン性不飽和モノマーのモノマー残基；並びに
（ｃ）前記モノマー残基とは異なる１種以上のモノマーの残基であって、フマル酸ジエチル、エチレングリコールフェニルエーテルメタクリレート、ジ（エチレングリコール）エチルヘキシルアクリレート、メタクリル酸ヒドロキシブチル、３，３−ジメチルアクリル酸、アクリル酸テトラヒドロフルフリル、メタクリル酸、アクリル酸ヒドロキシプロピル、チグリン酸、アクリル酸ブトキシエチル、メタクリル酸（ジメチルアミノ）エチル、エチレングリコールメチルエーテルアクリレート、ジ（エチレングリコール）エチルエーテルメタクリレート及びメタクリル酸ヒドロキシプロピルより成る群から選択される、前記モノマー残基：
を含む水侵食性ターポリマーであり、
モノマー残基（ｂ）及び（ｃ）の合計モル％が該ターポリマーの約９１〜約８０モル％であることを特徴とする、請求項１〜９のいずれかに記載のポリマー。
【請求項１１】
モノマーＢがメタクリル酸メチルである、請求項１〜８のいずれかに記載のポリマー。
【請求項１２】
モノマーＢとして少なくとも２種の異なるモノマーが選択される、請求項１〜８のいずれかに記載のポリマー。
【請求項１３】
請求項１〜１２のいずれかに記載のポリマー及び毒物を含み、海水中での侵食速度が約２〜１５μ／月であることを特徴とする、船舶用自己研磨性防汚コーティング組成物。
【請求項１４】
脱水剤、ゼオライト、酸中和剤、アミノ含有化合物、酸化防止剤、キレート化剤及びアルコキシシランから選択される安定剤をさらに含む、請求項１３に記載の船舶用自己研磨性防汚コーティング組成物。
【請求項１５】
前記安定剤が前記組成物の重量を基準として０．１〜１０重量％の割合で前記組成物中に存在する、請求項１４に記載の船舶用自己研磨性防汚コーティング組成物。
【請求項１６】
ロジン及びロジン誘導体をさらに含む、請求項１３に記載の自己研磨性防汚コーティング組成物。
【請求項１７】
ロジン及びロジン誘導体がコポリマーの５〜６０重量％の範囲で存在する、請求項１６に記載の自己研磨性防汚コーティング組成物。